(57)【要約】【課題】細かい目幅のスクリーンで細かいゴミを捕捉するとともに、大形のレーキにて粗いゴミも掻き揚げることができる除塵機を提供すること。【解決手段】フレーム１の両側に張架した１対のエンドレスチェーン２と、この１対のエンドレスチェーン２の間に１つのリンク２１毎に架設された長板状の多数のスクリーン３とを備え、各スクリーン３の下端から外側に鍔状のレーキ４を延設するとともに、各スクリーン３の上端から内側に鍔状の補強片５を延設する。【選択図】図３
2005248563.tif 000002
【特許請求の範囲】
【請求項１】
フレームの両側に張架した１対のエンドレスチェーンと、該１対のエンドレスチェーンの間に１リンク毎に架設された長板状の多数のスクリーンとを備え、各スクリーンの下端から外側に鍔状のレーキを延設するとともに、各スクリーンの上端から内側に鍔状の補強片を延設したことを特徴とする除塵機。
【発明の詳細な説明】
【技術分野】
【０００１】
本発明は、水路の流入水中のゴミを分離する除塵機に関し、特に、細かい目幅のスクリーンで細かいゴミを捕捉するとともに、大形のレーキにて粗いゴミも掻き揚げることができる除塵機に関するものである。
【背景技術】
【０００２】
従来、除塵機として、ダブルチェーン式除塵機やネット式除塵機が提案されている。
ダブルチェーン式除塵機は、フレーム両側のエンドレスチェーンに一定間隔毎にレーキを設けるとともに、該レーキと対面するように水路にスクリーンを固定し、該スクリーンにて捕捉したゴミをレーキによって掻き上げる構造を有している。
また、ネット式除塵機は、水路の上流側と下流側に平行にエンドレスチェーンを設け、ネットを張った枠をこのチェーンに固定してエンドレス構造のスクリーンを形成し、流入水がネットを通過する際にネットの内側でゴミを捕捉し、ネットを循環させて除塵を行う構造を有している。
【０００３】
しかしながら、従来のダブルチェーン式除塵機は、水路に固定されたスクリーンで捕捉したゴミをレーキで掻き上げるため、スクリーンに傾斜をつけレーキを大きくすることにより、比較的大きい粗いゴミに対応することが可能であるが、スクリーンの目詰まりを防止するためには、目幅に合致した爪をレーキに設け、スクリーン目に爪を食い込ませる必要があるため、細かい目幅には対応できない。
また、ネット式除塵機はスクリーンにネットを使用し、垂直に循環させる構造であるため、ネットの目を細かくし細かいゴミの除去が可能であるが、垂直設置のため粗いゴミの掻き上げが困難である。
したがって、これまでは、細かいゴミと粗いゴミの両方に対応できる除塵機はなかった。
【発明の開示】
【発明が解決しようとする課題】
【０００４】
本発明は、上記従来の除塵機が有する問題点に鑑み、細かい目幅のスクリーンで細かいゴミを捕捉するとともに、大形のレーキにて粗いゴミも掻き揚げることができる除塵機を提供することを目的とする。
【課題を解決するための手段】
【０００５】
上記目的を達成するため、本発明の除塵機は、フレームの両側に張架した１対のエンドレスチェーンと、該１対のエンドレスチェーンの間に１リンク毎に架設された長板状の多数のスクリーンとを備え、各スクリーンの下端から外側に鍔状のレーキを延設するとともに、各スクリーンの上端から内側に鍔状の補強片を延設したことを特徴とする。
【発明の効果】
【０００６】
本発明の除塵機によれば、フレームの両側に張架した１対のエンドレスチェーンと、該１対のエンドレスチェーンの間に１リンク毎に架設された長板状の多数のスクリーンとを備え、各スクリーンの下端から外側に鍔状のレーキを延設するとともに、各スクリーンの上端から内側に鍔状の補強片を延設することから、スクリーン目幅を自由に設定し、細かいゴミを捕捉して除去するとともに、スクリーンを適度な角度に設置し、スクリーン下端のレーキにより粗いゴミも掻き上げることができる。
また、スクリーンの上下端に鍔状の補強片とレーキを設けることにより、剛性を付与して、高い断面性能を確保するとともに、リンク間のほぼ全域をスクリーンとすることにより、広い通水面積を確保することができる。
【発明を実施するための最良の形態】
【０００７】
以下、本発明の除塵機の実施の形態を、図面に基づいて説明する。
【実施例１】
【０００８】
図１〜図３に、本発明の除塵機の一実施例を示す。
この除塵機は、フレーム１の両側に張架した１対のエンドレスチェーン２と、該１対のエンドレスチェーン２の間に１つのリンク２１毎に架設された長板状の多数のスクリーン３とを備え、各スクリーン３の下端から外側に鍔状のレーキ４を延設するとともに、各スクリーン３の上端から内側に鍔状の補強片５を延設している。
【０００９】
除塵機は、スクリーン３が水路を遮断するように配設されるとともに、フレーム１が水路の下流側に傾斜するように設置されている。
水路では、除塵機の両側には遮蔽板６が配設されるとともに、地上部では、掻き揚げたゴミを洗浄する洗浄ノズル７と、洗浄したゴミを回収する流水トラフ８と、エンドレスチェーン２を駆動する駆動装置９とが設置されている。
【００１０】
スクリーン３は、図３（ａ）に示すように、フレーム１の１対のエンドレスチェーン２の間に１つのリンク２１毎に架設された金属製の長板からなり、その下端から外側に鍔状のレーキ４を一体に延設するとともに、その上端から内側に鍔状の補強片５を一体に延設し、さらに、両側にリンク２１に対する取付ブラケット３１を備えている。
スクリーン３には、パンチング板やバースクリーン等をそのまま用いたり、中央部を開口して別のパンチング板を取り付けることができ、いずれも、目幅を自由に設定できるため、捕捉したいゴミの大きさにより最適な目幅とすることができる。
また、スクリーン３はチェーンピッチに合致した形状とし、このスクリーン３の平坦な部分がリンク２１のほぼ中心に位置することにより、上下の反転部においても隣り合うスクリーン３と干渉することなくスムーズな反転ができるとともに、スクリーン３同士の隙間を一定に保つことができる。
【００１１】
また、スクリーン３の上下端をそれぞれ直角に曲げる構造とすることにより、水圧等の荷重に耐える断面性能を持たせるとともに、スクリーン面積を増やして通水性能を大きく取ることができる。
そして、スクリーン３の下部反転部では、図３（ｂ）に示すように、底部ガイド板１０をスクリーン３のレーキ４の移動軌跡に合わせた形状とすることにより、除塵機の底部からのゴミの流出（ショートパス）を防止することができる。
【００１２】
かくして、本実施例の除塵機は、フレーム１の両側に張架した１対のエンドレスチェーン２と、該１対のエンドレスチェーン２の間に１つのリンク２１毎に架設された長板状の多数のスクリーン３とを備え、各スクリーン３の下端から外側に鍔状のレーキ４を延設するとともに、各スクリーン３の上端から内側に鍔状の補強片５を延設することから、スクリーン目幅を自由に設定し、細かいゴミを捕捉して除去するとともに、スクリーン３を適度な角度に設置し、スクリーン下端のレーキ４により粗いゴミも掻き上げることができる。
また、スクリーン３の上下端に鍔状の補強片５とレーキ４を設けることにより、剛性を付与して、高い断面性能を確保するとともに、リンク２１間のほぼ全域をスクリーン３とすることにより、広い通水面積を確保することができる。
【００１３】
以上、本発明の除塵機について、実施例に基づいて説明したが、本発明は上記実施例に記載した構成に限定されるものではなく、実施例に記載した構成を適宜組み合わせる等、その趣旨を逸脱しない範囲において適宜その構成を変更することができる。
【産業上の利用可能性】
【００１４】
本発明の除塵機は、細かい目幅のスクリーンで細かいゴミを捕捉するとともに、大形のレーキにて粗いゴミも掻き揚げることができるという特性を有していることから、幅広い環境条件で使用される除塵機の用途に好適に用いることができる。
【図面の簡単な説明】
【００１５】
【図１】本発明の除塵機の一実施例を示す側面図である。
【図２】同正面図である。
【図３】（ａ）はスクリーンの斜視図、（ｂ）はスクリーンの下部反転部の拡大図である。
【符号の説明】
【００１６】
１    フレーム
２    エンドレスチェーン
２１  リンク
３    スクリーン
３１  取付ブラケット
４    レーキ
５    補強片
６    遮蔽板
７    洗浄ノズル
８    流水トラフ
９    駆動装置
１０  底部ガイド板
【図１】
2005248563.tif 000003
【図２】
2005248563.tif 000004
【図３】
2005248563.tif 000005